(57)【特許請求の範囲】
【請求項１】
ブロードバンド等の通信方式或いはインターネット等の通信網を利用して広告を配信及び管理するアドマーケット・システムであって、
視聴者属性情報を視聴者が入力するように構成された視聴者属性情報入力手段と、
前記視聴者属性情報入力手段に接続され、当該視聴者属性情報入力手段から前記視聴者が入力した前記視聴者属性情報を記憶する視聴者属性情報記憶手段と、
前記視聴者情報記憶手段に記憶された前記視聴者属性情報の使用に対するパーミッション範囲、及び該視聴者の視聴に関するトラッキングに対するパーミッション範囲を前記視聴者がそれぞれ設定する設定手段と、
前記設定手段に接続され、当該設定手段から入力された前記パーミッション範囲に関する情報を前記視聴者に対して表示するパーミッション情報表示手段と、
前記設定手段に接続され、当該設定手段により設定された前記視聴者の視聴者属性情報の使用に対するパーミッション範囲及び前記視聴者の視聴に関するトラッキングに対するパーミッション範囲に基づいて前記パーミッション範囲内で前記視聴者の視聴履歴情報をトラッキングするトラッキング手段と、
前記トラッキング手段に接続され、トラッキングされた前記視聴履歴情報を記憶する視聴履歴情報記憶手段と、
前記視聴者属性情報記憶手段及び前記視聴履歴情報記憶手段に接続され、該視聴者属性情報記憶手段に記憶された前記視聴者属性情報と該視聴履歴情報記憶手段に記憶された前記視聴履歴情報とを組合せて集計する集計手段と、
前記視聴者が広告対象商品のジャンル設定を任意に行うと共に、該ジャンル設定を行った該広告対象商品に対する広告方法のそれぞれについて該視聴者が許容可能なインセンティブの程度及び／又は内容を任意に設定するように構成されたインセンティブ設定手段と、
広告発信希望者が、ターゲットとなる視聴者のカテゴリーを前記視聴者属性情報及び／又は前記視聴履歴情報から絞り込むことによってターゲット視聴者カテゴリーとして設定し、かつ前記ターゲットとなる視聴者に対して受容してもらう広告対象商品ジャンル及び広告方法を前記広告発信希望者が設定する、広告方法及びターゲット視聴者カテゴリー設定手段と、
前記集計手段、前記インセンティブ設定手段、及び前記広告方法及びターゲット視聴者カテゴリー設定手段からの出力に基づいて、ターゲット視聴者カテゴリー別に、インセンティブ金額０から該広告発信希望者が設定したマックスのインセンティブ金額までの範囲内で、前記ターゲット視聴者カテゴリーに対応する視聴者が前記インセンティブ手段で設定したインセンティブ金額と当該インセンティブ金額を設定した視聴者数との積を積分することによって、前記インセンティブ金額の総予算及び／又は広告受容視聴者数の少なくともいずれか一方を算出する計算手段と、
前記計算手段により計算した前記ターゲット視聴者カテゴリーの人数を画面上に表示するインタラクション手段と、
前記インタラクション手段は、前記ターゲット視聴者カテゴリーの各視聴者がどの程度及び／又はどのような内容のインセンティブで前記選択された広告方法の受容を許諾しているかをグラフにより表示する表示手段と、
を備え、
前記インタラクション手段の前記表示手段は、前記計算手段の計算に基づいて、発信希望者がマックスいくらのインセンティブを設定すると、広告が受容可能な視聴者の数及び総予算の暫定値を含む情報を瞬時に知ることができるグラフを表示するように構成されることを特徴とするアドマーケット・システム。
【請求項２】
前記ターゲット視聴者カテゴリーの各視聴者に対して、前記広告発信希望者がどのような広告をどのようなインセンティブで受容してもらうのかを設定する広告発信内容及びインセンティブ表示内容設定手段を更に備えている請求項１に記載のアドマーケット・システム。
【請求項３】
前記設定手段及び前記集計手段に接続され、該集計手段により集計した情報を、前記設定手段により設定された前記パーミッション範囲の情報に基づき、パーミッション別にピックアップする集計情報ピックアップ手段を更に備えている請求項１に記載のアドマーケット・システム。
【請求項４】
前記集計情報ピックアップ手段に接続され、該集計情報ピックアップ手段によりピックアップされた集計情報を視聴者別に表示する集計情報表示手段を更に備えている請求項３に記載のアドマーケット・システム。
【請求項５】
前記広告方法選択手段で選択した前記広告方法で視聴者別に広告を発信する広告発信手段を更に備えている請求項１に記載のアドマーケット・システム。
【請求項６】
前記広告発信手段は、前記発信した広告を視聴者別に表示する表示手段を更に備えている請求項５に記載のアドマーケット・システム。
【請求項７】
前記広告の受容に基づいて前記視聴者が獲得したインセンティブを視聴者別に発信するインセンティブ発信手段を更に備えている請求項６に記載のアドマーケット・システム。
【請求項８】
前記インセンティブ発信手段は、前記発信したインセンティブを視聴者別に表示する表示手段を更に備えている請求項７に記載のアドマーケット・システム。
【請求項９】
ブロードバンド等の通信方式或いはインターネット等の通信網を利用して広告を配信及び管理するアドマーケット・システムにおけるアドマーケット方法であって、
前記視聴者属性情報入力手段により視聴者から入力された視聴者属性情報を視聴者属性情報記憶手段に記憶する段階と、
設定手段が、前記視聴者から入力された前記視聴者情報記憶手段に記憶された前記視聴者属性情報の使用に対するパーミッション範囲、及び該視聴者の視聴に関するトラッキングに対するパーミッション範囲に関する情報を設定する段階と、
パーミッション情報表示手段が、前記設定手段から入力された前記パーミッション範囲に関する情報を前記視聴者に対して表示する段階と、
トラッキング手段が、前記設定手段により設定された前記視聴者の視聴者属性情報の使用に対するパーミッション範囲及び前記視聴者の視聴に関するトラッキングに対するパーミッション範囲に基づいて、前記パーミッション範囲内で前記視聴者の視聴履歴情報をトラッキングする段階と、
前記トラッキング手段によりトラッキングされた前記視聴履歴情報を視聴履歴情報記憶手段に記憶する段階と、
集計手段が、前記視聴者属性情報記憶手段に記憶された前記視聴者属性情報と前記視聴履歴情報記憶手段に記憶された前記視聴履歴情報とを組合せて集計する段階と、
インセンティブ設定手段が、視聴者から入力された広告対象商品のジャンル設定を行うと共に、該ジャンル設定を行った該広告対象商品に対する広告方法のそれぞれについて該視聴者から入力された許容可能なインセンティブの程度及び／又は内容を設定する段階と、
広告方法及びターゲット視聴者カテゴリー設定手段が、広告発信希望者が視聴者属性情報及び／又は視聴行動履歴から絞り込んで入力した視聴者のカテゴリーをターゲット視聴者カテゴリーとして設定し、かつ前記広告発信希望者から入力された前記ターゲットとなる視聴者に対して受容してもらう広告対象商品ジャンル及び広告方法を設定する段階と、
計算手段が、前記集計手段、前記インセンティブ設定手段、及び前記広告方法及びターゲット視聴者カテゴリー設定手段からの出力に基づいて、ターゲット視聴者カテゴリー別に、インセンティブ金額０から該広告発信希望者が設定したマックスのインセンティブ金額までの範囲内で、前記ターゲット視聴者カテゴリーに対応する視聴者が前記インセンティブ手段で設定したインセンティブ金額と当該インセンティブ金額を設定した視聴者数との積を積分することによって、前記インセンティブ金額の総予算及び／又は広告受容視聴者数の少なくともいずれか一方を算出する段階と、
インタラクション手段が、前記計算手段により計算した前記ターゲット視聴者カテゴリーの人数を当該インタラクション手段の画面上に表示する段階と、
前記インタラクション手段の表示手段が、前記ターゲット視聴者カテゴリーの各視聴者がどの程度及び／又はどのような内容のインセンティブで前記選択された広告方法の受容を許諾しているかをグラフにより表示する段階と、
前記インタラクティブ手段の前記表示手段が、前記計算手段の計算に基づいて、発信希望者がマックスいくらのインセンティブを設定すると、広告が受容可能な視聴者の数及び総予算の暫定値を含む情報を瞬時に知ることができるグラフを表示する段階と、
を具備することを特徴とするアドマーケット方法。
【請求項１０】
集計情報ピックアップ手段が、前記集計手段により集計した情報を、前記設定手段により設定された前記パーミッション範囲の情報に基づき、パーミッション別にピックアップする段階を更に具備する請求項９に記載のアドマーケット方法。
【請求項１１】
集計情報表示手段が、前記集計情報ピックアップ手段によりピックアップされた集計情報を視聴者別に表示する段階を更に具備する請求項１０に記載のアドマーケット方法。
【請求項１２】
広告発信手段が、前記広告方法選択手段で選択した前記広告方法で視聴者別に広告を発信する段階を更に具備する請求項９に記載のアドマーケット方法。
【請求項１３】
前記広告発信手段の表示手段が、前記発信した広告を視聴者別に表示する段階を更に具備する請求項１２に記載のアドマーケット方法。
【請求項１４】
インセンティブ発信手段が、前記広告の受容に基づいて前記視聴者が獲得したインセンティブを視聴者別に発信する段階を更に具備する請求項１３に記載のアドマーケット方法。
【請求項１５】
前記インセンティブ発信手段の表示手段が、前記発信したインセンティブを視聴者別に表示する段階を更に具備する請求項１４に記載のアドマーケット方法。
【発明の詳細な説明】
【０００１】
【発明の属する技術分野】
本発明は、ブロードバンド等の通信方式或いはインターネット等の通信網を利用して広告を配信及び管理するアドマーケット・システム及び方法に関する。
【０００２】
【従来の技術】
一般に、視聴者のプロフィール情報、プリファレンス情報、及び視聴履歴情報（視聴者がどのような視聴行動をとっているかということを示す情報）（以下、これらの情報を総称して自己情報と呼ぶ）は、コンテンツ編成、広告計画及びマーケティング計画に対して、非常に価値のある、重要な情報である。
【０００３】
一方、視聴者のプライバシーに係わる問題のために、第三者（例えば、広告主）は、視聴者が事前に承諾した場合にのみ、その承諾した範囲内で、視聴者の自己情報を活用することができる。
【０００４】
視聴者が自己情報の活用を承諾することによるメリットや承諾の制限等、具体的にどのような条件が整えば、第三者による自己情報の活用を承諾してくれるのかということを、第三者が把握することは、非常に重要である。
【０００５】
【発明が解決しようとする課題】
しかしながら、視聴者が自己情報の活用を承諾するための条件は、視聴者個々によってその内容（例えばその質及び／又は量）が異なるために、自己情報の活用を承諾した視聴者全員に対してメリットを提供することができないという問題点があった。
【０００６】
本発明は、上記従来の技術における問題点に鑑み、自己情報の活用に対する視聴者個々による承諾の条件に応じて、自己情報の活用を承諾した視聴者全員に対してメリットを享受することができるアドマーケット・システム及び方法を提供することをその課題とする。
【０００７】
【課題を解決するための手段】
本発明の上記課題は、視聴者の視聴者属性情報の使用に対するパーミッション範囲、及び該視聴者の視聴に関するトラッキングに対するパーミッション範囲を設定する設定手段と、前記設定手段に接続され、当該設定手段から入力された前記パーミッション範囲に関する情報を前記視聴者に対して表示するパーミッション情報表示手段と、前記視聴者属性情報を入力するように構成された視聴者属性情報入力手段と、前記視聴者属性情報入力手段に接続され、当該視聴者属性情報入力手段から入力された前記視聴者属性情報を記憶する視聴者属性情報記憶手段と、前記設定手段に接続され、当該設定手段により設定された前記パーミッション範囲内で前記視聴者の視聴履歴情報をトラッキングするトラッキング手段と、前記トラッキング手段に接続され、トラッキングされた前記視聴履歴情報を記憶する視聴履歴情報記憶手段と、前記視聴者属性情報記憶手段及び前記視聴履歴情報記憶手段に接続され、該視聴者属性情報記憶手段に記憶された前記視聴者属性情報と該視聴履歴情報記憶手段に記憶された前記視聴履歴情報とを組合せて集計する集計手段とを備えているアドマーケット・システムによって達成される。
【０００８】
また、本発明の上記課題は、視聴者の視聴者属性情報の使用に対するパーミッション範囲、及び該視聴者の視聴に関するトラッキングに対するパーミッション範囲を設定する段階と、
前記パーミッション範囲に関する情報を前記視聴者に対して表示する段階と、
前記視聴者属性情報を入力する段階と、
前記入力した視聴者属性情報を記憶する段階と、
前記設定したパーミッション範囲内で前記視聴者の視聴履歴情報をトラッキングする段階と、
前記トラッキングした前記視聴履歴情報を記憶する段階と、
前記記憶した視聴者属性情報及び前記記憶した視聴履歴情報を組合せて集計する段階とを具備するアドマーケット方法によって達成される。
【０００９】
【発明の実施の形態】
本発明のアドマーケット・システムでは、前記設定手段及び前記集計手段に接続され、該集計手段により集計した情報を、前記設定手段により設定された前記パーミッション範囲の情報に基づき、パーミッション別にピックアップする集計情報ピックアップ手段を更に備えてもよい。
【００１０】
本発明のアドマーケット・システムでは、前記集計情報ピックアップ手段に接続され、該集計情報ピックアップ手段によりピックアップされた集計情報を視聴者別に表示する集計情報表示手段を更に備えてもよい。
【００１１】
本発明のアドマーケット・システムでは、前記視聴者が広告対象商品のジャンル設定を任意に行うことができ、かつ該ジャンル設定を行った該広告対象商品に対する広告方法のそれぞれについて該視聴者が許容可能なインセンティブの程度及び／又は内容を設定するインセンティブ設定手段を更に備えてもよい。
【００１２】
本発明のアドマーケット・システムでは、広告発信希望者が前記視聴者のプロフィール、プリファレンス、視聴・行動履歴データ及びそれらの組合せから導き出されるターゲット視聴者カテゴリーを設定する広告方法設定手段を更に備えてもよい。
【００１３】
本発明のアドマーケット・システムでは、前記集計手段、前記インセンティブ設定手段及び前記広告方法設定手段からの出力に基づき、視聴者カテゴリー別インセンティブ情報を集計して前記ターゲット視聴者カテゴリーの人数を計算する計算手段を更に備えてもよい。
【００１４】
本発明のアドマーケット・システムでは、前記計算手段により計算した前記ターゲット視聴者カテゴリーの人数を画面上に表示するインタラクション手段を更に備えてもよい。
【００１５】
本発明のアドマーケット・システムでは、前記ターゲット視聴者カテゴリーの各視聴者に対して、どのような広告を受容してもらいたいかを前記広告発信希望者が前記広告方法の中から選択する注文受注手段を更に備えてもよい。
【００１６】
本発明のアドマーケット・システムでは、前記インタラクション手段は、前記ターゲット視聴者カテゴリーの各視聴者がどの程度及び／又はどのような内容のインセンティブで前記選択された広告方法の受容を許諾しているかをグラフにより表示する表示手段を更に備えてもよい。
【００１７】
本発明のアドマーケット・システムでは、前記インタラクション手段の前記表示手段は、発信希望者がマックスいくらのインセンティブを設定すると、何人の視聴者に広告を受容してもらえか、総予算がいくらになるか等、様々な情報を瞬時に知ることができるグラフを表示するように構成してもよい。
【００１８】
本発明のアドマーケット・システムでは、前記広告方法設定手段で選択した前記広告方法により視聴者別に広告を発信する広告発信手段を更に備えてもよい。
【００１９】
本発明のアドマーケット・システムでは、前記広告発信手段は、前記発信した広告を視聴者別に表示する表示手段を更に備えてもよい。
【００２０】
本発明のアドマーケット・システムでは、前記広告の受容により前記視聴者が獲得したインセンティブを視聴者別に発信するインセンティブ発信手段を更に備えてもよい。
【００２１】
本発明のアドマーケット・システムでは、前記インセンティブ発信手段は、前記発信したインセンティブを視聴者別に表示する表示手段を更に備えてもよい。
【００２２】
本発明のアドマーケット方法では、前記集計した情報を、前記設定したパーミッション範囲の情報に基づき、パーミッション別にピックアップする段階を更に具備してもよい。
【００２３】
本発明のアドマーケット方法では、前記ピックアップした集計情報を視聴者別に表示する段階を更に具備してもよい。
【００２４】
本発明のアドマーケット方法では、前記視聴者が広告対象商品のジャンル設定を任意に行い、かつ該ジャンル設定を行った該広告対象商品に対する広告方法のそれぞれについて該視聴者が許容可能なインセンティブの程度及び／又は内容を設定する段階を更に具備してもよい。
【００２５】
本発明のアドマーケット方法では、広告発信希望者が前記視聴者のプロフィール、プリファレンス、視聴・行動履歴データ及びそれらの組合せから導き出されるターゲット視聴者カテゴリーを設定する段階を更に具備してもよい。
【００２６】
本発明のアドマーケット方法では、前記集計する段階、前記インセンティブを設定する段階及び前記広告方法を設定する段階からの出力に基づき、視聴者カテゴリー別インセンティブ情報を集計して前記ターゲット視聴者カテゴリーの人数を計算する段階を更に具備してもよい。
【００２７】
本発明のアドマーケット方法では、前記計算したターゲット視聴者カテゴリーの人数を表示する段階を更に具備してもよい。
【００２８】
本発明のアドマーケット方法では、前記ターゲット視聴者カテゴリーの各視聴者に対して、どのような広告を受容してもらいたいかを前記広告発信希望者が前記広告方法の中から選択する段階を更に具備してもよい。
【００２９】
本発明のアドマーケット方法では、前記選択する段階は、前記ターゲット視聴者カテゴリーの各視聴者がどの程度及び／又はどのような内容のインセンティブで前記選択された広告方法の受容を許諾しているかをグラフにより表示する段階を更に具備してもよい。
【００３０】
本発明のアドマーケット方法では、前記グラフを表示する段階は、発信希望者がマックスいくらのインセンティブを設定すると、何人の視聴者に広告を受容してもらえか、総予算がいくらになるか等、様々な情報を瞬時に知ることができるグラフを表示するようにしてもよい。
【００３１】
本発明のアドマーケット方法では、前記選択した広告方法により視聴者別に広告を発信する段階を更に具備してもよい。
【００３２】
本発明のアドマーケット方法では、前記広告を発信する段階は、前記発信した広告を視聴者別に表示する段階を更に具備してもよい。
【００３３】
本発明のアドマーケット方法では、前記広告の受容により前記視聴者が獲得したインセンティブを視聴者別に発信する段階を更に具備してもよい。
【００３４】
本発明のアドマーケット方法では、前記インセンティブを発信する段階は、前記発信したインセンティブを視聴者別に表示する段階を更に具備してもよい。
【００３５】
【実施例】
以下、添付した図面を参照して、本発明によるアドマーケット・システム及び方法の好ましい実施例を説明する。
【００３６】
図１は、本発明によるアドマーケット・システムの好ましい実施例の一形態であるドネイション型コンテンツ・ポータル・システムの一構成例を示す概略ブロック図である。
【００３７】
図１に示すドネイション型コンテンツ・ポータル・システム１０は、視聴者が視聴者のプロフィール情報及びプリファレンス情報（以下、視聴者属性情報と称する）の使用に対するパーミッション範囲、及び視聴者の視聴に関するトラッキングに対するパーミッション範囲を設定するように構成されたパーミッション範囲設定装置１１と、設定装置１１に接続され、視聴者によりパーミッション範囲設定装置１１から入力されたパーミッション範囲に関する情報を、視聴者に対して表示するように構成されたパーミッション範囲情報表示装置１２と、視聴者が視聴者のプロフィール情報を入力するように構成された視聴者プロフィール情報入力装置１３と、視聴者が視聴者のプリファレンス情報を入力するように構成された視聴者プリファレンス情報入力装置１４と、入力装置１３及び１４に接続され、視聴者属性情報を記憶するように構成された視聴者属性情報データベース１５と、設定装置１１に接続され、設定装置１１により設定されたパーミッション範囲内で視聴者の視聴・行動履歴を視聴者別にトラッキングするように構成された視聴・行動履歴トラッキング装置１６と、トラッキング装置１６に接続され、視聴者の視聴・行動履歴に関する情報（以下、視聴履歴情報と称する）を記憶するように構成された視聴履歴情報データベース１７と、データベース１５及び１７に接続され、視聴者属性情報と視聴履歴情報とを組合せて集計するように構成された集計装置１８と、設定装置１１及び集計装置１８に接続され、集計装置１８により集計した情報（以下、集計情報と称する）をパーミッション別にピックアップするように構成された集計情報ピックアップ装置１９と、集計情報ピックアップ装置１９に接続され、集計情報ピックアップ装置１９によりピックアップされた集計情報を視聴者別に表示するように構成された集計情報表示装置２０とを備えている。
【００３８】
次に、図２及び図３のフロー図を参照して、図１のドエイション型コンテンツ・ポータル・システムの動作を説明する。
【００３９】
まず、視聴者は、入力装置１３から視聴者のプロフィール情報を入力し（ステップＳ１）、次いで入力装置１４から視聴者のプリファレンス（趣味・嗜好）情報を入力し（ステップＳ２）、入力装置１３及び１４から入力された視聴者のプロフィール情報及びプリファレンス情報（視聴者属性情報）をデータベース１５に記憶する（ステップＳ３）。
【００４０】
更に、視聴者は、設定装置１１により、データベース１５に記憶されている視聴者の視聴者属性情報の使用のパーミッション範囲、並びに視聴に関するトラッキングのパーミッション範囲を設定する（ステップＳ４）。
【００４１】
次いで、設定装置１１により設定されたパーミッション範囲に関する情報を表示装置１２に表示して、視聴者にパーミッション範囲に関する情報を確認してもらう（ステップＳ５）。訂正等の必要があれば、上記ステップＳ４に戻って再度訂正した情報を入力してもらう（ステップＳ６）。これにより、視聴者に、自分の視聴者属性情報を使用させること、並びに自分がネットワークで何を見ているかの視聴・行動履歴を匿名でトラッキングさせることを承諾してもらう（ステップＳ７）。
【００４２】
設定装置１１により設定されたパーミッション範囲に関する情報が確定したならば（ステップＳ８）、その確定したパーミッション範囲に応じて、トラッキング装置１６により、視聴者の視聴・行動履歴をトラッキングし（ステップＳ９）、トラッキング装置１６によりトラッキングして得られた視聴者の視聴・行動履歴に関する情報（視聴履歴情報）をデータベース１７に記憶する（ステップＳ１０）。
【００４３】
次いで、集計装置１８により、データベース１７に記憶されている視聴者の視聴履歴情報と、データベース１５に記憶されている視聴者の視聴者属性情報とを組合せて集計する（ステップＳ１１）。
【００４４】
そして、ピックアップ装置１９により、上記ステップＳ１１で集計した集計情報を、設定装置１１により設定されたパーミッション範囲に関する情報に基づき、パーミッション別にピックアップして（ステップＳ１２）、視聴者別（パーミッション範囲別）集計情報表示装置２０により、上記ピックアップ装置１９でピックアップした集計情報を視聴者別に表示する（ステップＳ１３）。
【００４５】
上述した図１のシステムによれば、個人情報（個人のプロフィール、プリファレンス、視聴者行動履歴）の提供を行った視聴者だけが、情報提供の度合いに応じた集計データを基にしたコンテンツ人気ランキング、推奨、検索エンジン等を備えたポータル画面を無償で活用することができるように構成されている。即ち、一人一人の消費者が、自分のデータを条件付きドネイションとして提供することによって、それらを合計して得られる価値を、インセンティブとして享受することができる。
【００４６】
図４は、本発明によるアドマーケット・システムの好ましい実施例の別の一形態である視聴者オファー集約型広告システムの一構成例を示す概略ブロック図である。
【００４７】
図４に示す視聴者オファー集約型広告システム１００は、視聴者が視聴者属性情報の使用に対するパーミッション範囲、及び視聴者の視聴に関するトラッキングに対するパーミッション範囲を設定するように構成されたパーミッション範囲設定装置１１１と、設定装置１１１に接続され、視聴者によりパーミッション範囲設定装置１１１から入力されたパーミッション範囲に関する情報を、視聴者に対して表示するように構成されたパーミッション範囲情報表示装置１１２と、視聴者が視聴者のプロフィール情報を入力するように構成された視聴者プロフィール情報入力装置１１３と、視聴者が視聴者のプリファレンス情報を入力するように構成された視聴者プリファレンス情報入力装置１１４と、入力装置１１３及び１１４に接続され、視聴者属性情報を記憶するように構成された視聴者属性情報データベース１１５と、設定装置１１１に接続され、設定装置１１１により設定されたパーミッション範囲内で視聴者の視聴・行動履歴を視聴者別にトラッキングするように構成された視聴・行動履歴トラッキング装置１１６と、トラッキング装置１１６に接続され、視聴者の視聴履歴情報を記憶するように構成された視聴履歴情報データベース１１７と、データベース１１５及び１１７に接続され、視聴者属性情報と視聴履歴情報とを組合せて集計するように構成された集計装置１１８と、広告対象商品のジャンルを設定しかつ各広告方法についてインセンティブの程度を設定するように構成されたインセンティブ設定装置１１９と、広告発信希望者等が広告方法及びターゲット視聴者カテゴリーを設定する広告方法及びターゲット視聴者カテゴリー設定装置１２１と、集計装置１１８、インセンティブ設定装置１１９及び広告方法及びターゲット視聴者カテゴリー設定装置１２１からの出力に基づいて、ターゲット視聴者カテゴリー別に、予算と該予算による広告受容視聴者数を計算する計算装置１２０と、上記ターゲット視聴者カテゴリーの各視聴者が広告方法の受容を許諾しているインセンティブに関するグラフを画面上に表示するインタラクション装置１２２と、上記ターゲット視聴者カテゴリーの各視聴者に対して、上記広告発信希望者がどのような広告をどのようなインセンティブで受容してもらうのかを設定する広告発信内容及びインセンティブ表示内容設定装置１２３と、広告方法及びターゲット視聴者カテゴリー設定装置１２１で選択した広告方法により視聴者別に広告を発信する広告発信装置１２４と、広告受容により視聴者が獲得したインセンティブを画面上に表示するインセンティブ表示装置１２５とを備えている。
【００４８】
次に、図５〜図７のフロー図を参照して、図４のシステムの動作を説明する。
【００４９】
まず、視聴者は、入力装置１１３から視聴者のプロフィール情報を入力し（ステップＳ１０１）、入力装置１１４から視聴者のプリファレンス情報を入力し（ステップＳ１０２）、入力装置１１３及び１１４から入力された視聴者属性情報をデータベース１１５に記憶する（ステップＳ１０３）。
【００５０】
更に、視聴者は、設定装置１１１により、データベース１１５に記憶された視聴者属性情報の使用に対するパーミッション範囲、並びに視聴者の視聴に関するトラッキングに対するパーミッション範囲を設定する（ステップＳ１０４）。
【００５１】
次いで、設定装置１１１により設定されたパーミッション範囲に関する情報を表示装置１１２に表示して、視聴者にパーミッション範囲に関する情報を確認してもらう（ステップＳ１０５）。表示装置１１２に表示されたパーミッション範囲に関する情報について訂正等の必要があれば、上記ステップＳ１０４に戻って訂正した情報を再度入力してもらう（ステップＳ１０６）。これにより視聴者に自分の視聴者属性情報を使用させること並びに自分がネットワークで何を見ているかの視聴・行動履歴を匿名でトラッキングさせることを承諾してもらう（ステップＳ１０７）。なお、視聴者は、トラッキングを拒否することもできる。その場合、視聴者の自己情報は、プロフィール情報及びプリファレンス情報（即ち、視聴者属性情報）のみとなる。
【００５２】
そして、設定装置１１１により設定されたパーミッション範囲に関する情報が確定したならば（ステップＳ１０８）、その確定したパーミッション範囲に応じて、トラッキング装置１１６により、視聴者の視聴・行動履歴をトラッキングし（ステップＳ１０９）、トラッキング装置１１６によりトラッキングして得られた視聴者の視聴・行動履歴に関する情報をデータベース１１７に記憶する（ステップＳ１１０）。
【００５３】
次いで、集計装置１１８により、視聴者認識コードに基づき、データベース１１５に記憶されている視聴者属性情報とデータベース１１７に記憶されている視聴履歴情報とを組合せてカテゴリー毎に集計する（ステップＳ１１１）。
【００５４】
視聴者は、インセンティブ設定装置１１９により、広告対象商品のジャンル設定を行う（ステップＳ１１２）。この広告対象商品のジャンル設定は、視聴者の希望によって任意に設定することができる。即ち、視聴者は、ジャンルを細かく設定することもできるし、大まかに設定することもできる。
【００５５】
更に、視聴者は、インセンティブ設定装置１１９により、ジャンル設定をした広告対象商品に対して、広告方法（▲１▼ＣＭを見てもよい、▲２▼商品情報を受け取ってもよい、▲３▼情報を見た上で、アンケートに答えてもよい、▲４▼上記特典分をクーポンとして受け取ってもよい）のそれぞれについて、最低どの程度のインセンティブが付与されたならば、受容してもいいかを設定する（ステップＳ１１３）。
【００５６】
ここで、インセンティブとは、有料コンテンツや有料サービスの割引でもいいし、点数をためて、賞品と交換するということでもいいし、キャッシュ・バックそのものでもいい。なお、広告対象商品が視聴者にとって興味があるジャンルのものであれば、インセンティブを０円に設定し、なるべく広告が届くようにすることもできる。また、広告方法は、量・質を更に細かく設定することもできる。例えば、ＣＭの長さ（量）であるとか、商品情報の受け取りをメールで受け取るか、バナーをクリックして広告主のホームページに行くか（質）といった条件を設定変更することも可能である。
【００５７】
広告方法及びターゲット視聴者カテゴリー設定装置１２１により、広告発信希望者（例えば、広告主又は広告主から委託を受けた広告会社等）は、視聴者のプロフィール、プリファレンス、視聴・行動履歴データ及びそれらの組合せから導き出されるターゲットとなる視聴者のカテゴリー（ターゲット視聴者カテゴリー（図８参照））を設定する（ステップＳ１１４）。
【００５８】
次いで、計算装置１２０により、集計装置１１８、インセンティブ設定装置１１９、及び広告方法及びターゲット視聴者カテゴリー設定装置１２１からの出力に基づいて、視聴者カテゴリー別インセンティブ情報を集計して（ステップＳ１１５）、上記ターゲット視聴者カテゴリーの人数を計算し（ステップＳ１１６）、広告発信希望者が見ているインタラクション装置１２２の画面上に上記ステップ１１６で計算した人数を表示する（ステップＳ１１７）。
【００５９】
広告主は、広告発信内容及びインセンティブ表示内容設定装置１２３により、上記ターゲット視聴者カテゴリーの各視聴者に対して、上記広告発信希望者がどのような広告をどのようなインセンティブで受容してもらうのかを設定する（ステップＳ１１８）。
【００６０】
広告主に対して、上記ターゲット視聴者カテゴリーの各視聴者がいくらのインセンティブで上記選択された広告方法の受容を許諾しているかが、図９に示すようなグラフとしてインタラクション装置１２２の画面上に表示される（ステップＳ１１９）。ここで、広告主は、インタラクション装置１２２の画面上に表示された図９のグラフに基づき、マックスいくらのインセンティブを設定すると、何人の視聴者に広告を受容してもらえか、総予算がいくらになるか等、様々な情報を瞬時に知ることができる。
【００６１】
そして、広告発信内容及びインセンティブ表示内容設定装置１２３で設定した広告方法により、視聴者別に広告発信装置１２４に広告を発信しかつその画面上に広告を表示し（ステップ１２０）、広告受容により視聴者が獲得したインセンティブをインセンティブ表示装置１２５の画面上に表示する（ステップＳ１２１）。
【００６２】
広告発信の形態は、コンテンツ視聴時に広告を挿入するように構成してもよいし、広告だけ単独で視聴してもらうように視聴者に働きかける方法でもよい。更に、視聴者が見ている画面に広告を直接表示する方法、広告をメール等で視聴者に送り届ける方法もある。
【００６３】
インセンティブ割増率については、以下のように設定される。
【００６４】
視聴者やシステム側に負荷やリスクが多くかかりそうなターゲット設定は、インセンティブ割増率は、高めに設定される。逆の場合には、インセンティブ割増率は、低めに設定されるが、１以下になることはない。例えば、男女、年齢といったターゲット設定と比較して、信頼性のある年収別のターゲット設定といったものは、データを入力してもらうのに、かなり負荷がかかる。その場合には、インセンティブ割増率は、かなり高めに設定される。
【００６５】
なお、カテゴリー設定で、絞り込む条件設定が多いほど、視聴者の個人情報をより多く使ったターゲット設定をしていることになるので、インセンティブは、条件設定数に応じた割増率が加算される。また、割増率は、条件によって可変に設定することも可能である。
【００６６】
下記に、インセンティブ金額をＰ円に設定した場合の総予算Ａ（Ｐ）の計算式例を示す。
【００６７】
【数１】
0004020694.tif 000002
ここで、N(X)は、インセンティブ金額をX円に設定しているターゲット視聴者数、Wは、ターゲット設定を行うにあたっての条件設定数、αは、上記ターゲット設定の１条件あたりのインセンティブ割増率（α＞１）をそれぞれ表す。
【００６８】
広告発信希望者は、総予算と照らし合わしながら、インセンティブ料金を上下することによって、広告受容視聴者数を設定できる。その際、事前に想定していた総予算に合うようなインセンティブ金額設定をすると、広告受容視聴者数が足りないと判断した場合は、ターゲット視聴者カテゴリーの人数が増えるように、カテゴリー設定を緩めに変更する。逆に、事前に想定していた総予算に合うようなインセンティブ金額設定をすると、広告受容視聴者数が予想以上に多く、もう少し絞り込むことも可能であると判断した場合は、ターゲット視聴者カテゴリーの人数が減るように、カテゴリー設定をきつめに変更できる。
【００６９】
また、広告発信希望者は、希望する広告方法に対し、視聴者カテゴリーとインセンティブ金額の設定を調整することによって、受容してもらえる視聴者数と総予算を把握できる。
【００７０】
広告主が前記設定がマーケティング上、納得できるものと判断すれば、その設定に応じた広告発信を発注できる。
【００７１】
視聴者は、各広告方法による広告を受け取る数によって、いつでもインセンティブ設定を変更できる。
【００７２】
広告の数を減らしたいと思えば、インセンティブ金額設定を高めに変更し、もっと広告を受け取ってもよいと思った場合には、インセンティブ金額設定を低めに変更できる。
【００７３】
インセンティブ金額設定は、中一日置いて反映されるというルールを決める事により、広告発信希望者の発注時に、視聴者人数が変化することによる混乱を防ぐことができる。
【００７４】
また、システムの管理者は、手数料として、インセンティブ取引の一定手数料を徴収するように構成してもよい。
【００７５】
【発明の効果】
本発明によれば、自己情報の活用を承諾する条件が視聴者個々によって異なっても、視聴者個々の承諾の条件に応じて、自己情報の活用を承諾した視聴者全員がメリットを享受することができる。
【００７６】
また、広告主等の広告発信者は、総予算と照らし合わしながら、インセンティブの金額及び／又はターゲット視聴者カテゴリーを調整することにより、広告受容視聴者数を任意に設定することができる。
【図面の簡単な説明】
【図１】本発明によるアドマーケット・システムの好ましい実施例の一形態であるドネイション型コンテンツ・ポータル・システムの一構成例を示す概略ブロック図である。
【図２】図１のドネイション型コンテンツ・ポータル・システムの動作を説明するためのフロー図である。
【図３】図１のドネイション型コンテンツ・ポータル・システムの動作を説明するためのフロー図である。
【図４】本発明によるアドマーケット・システムの好ましい実施例の別の形態である視聴者オファー集約型広告システムの一構成例を示す概略ブロック図である。
【図５】図４の視聴者オファー集約型広告システムの動作を説明するためのフロー図である。
【図６】図４の視聴者オファー集約型広告システムの動作を説明するためのフロー図である。
【図７】図４の視聴者オファー集約型広告システムの動作を説明するためのフロー図である。
【図８】図４の視聴者オファー集約型広告システムにおけるターゲット視聴者カテゴリー選択画面の一例を示す図である。
【図９】図４の視聴者オファー集約型広告システムにおける広告方法を選択するために利用するインセンティブに関するグラフである。
【符号の説明】
１０  ドネイション型コンテンツ・ポータル・システム
１１  パーミッション範囲設定装置
１２  パーミッション範囲内情報表示装置
１３  視聴者プロフィール情報入力装置
１４  視聴者プリファレンス情報入力装置
１５  視聴者属性情報データベース
１６  視聴・行動履歴トラッキング装置
１７  視聴履歴情報データベース
１８  集計装置
１９  集計情報ピックアップ装置
２０  集計情報表示装置
【図１】
0004020694.tif 000003
【図２】
0004020694.tif 000004
【図３】
0004020694.tif 000005
【図４】
0004020694.tif 000006
【図５】
0004020694.tif 000007
【図６】
0004020694.tif 000008
【図７】
0004020694.tif 000009
【図８】
0004020694.tif 000010
【図９】
0004020694.tif 000011